(57)【要約】【課題】  収納された書類を取り出すことなく、必要事項を追記することができるクリアポケットを提供する。【解決手段】  透明あるいは半透明で一端が開口した袋状の袋シート２を有するクリアポケット１０において、袋シート２は紙３が収容されたとき紙３の表面を覆う第１表紙２１と紙３の裏面を覆う第２表紙２２とを有し、前記第１表紙２１及び／又は前記第２表紙２２は前記紙３に書き込み可能な書き込み窓２３を有することを特徴とする。【選択図】図１
0003116936.tif 000002
【実用新案登録請求の範囲】
【請求項１】
透明あるいは半透明で一端が開口した袋状の袋シートを有するクリアポケットにおいて、
前記袋シートは紙が収容されたとき該紙の表面を覆う第１表紙と該紙の裏面を覆う第２表紙とを有し、
前記第１表紙及び／又は前記第２表紙は前記紙に書き込み可能な書き込み窓を有することを特徴とするクリアポケット。
【請求項２】
前記第１表紙及び／又は前記第２表紙は、前記書き込み窓の周囲に窓枠部を有する請求項１に記載のクリアポケット。
【請求項３】
前記第１表紙及び／又は前記第２表紙は、前記書き込み窓を横断し対向する前記窓枠部を連結する連結枠部を有する請求項１又は２に記載のクリアポケット。
【請求項４】
前記袋シートは、前記窓枠部の一側端部にファイルされるためのファイル孔又は接着面を有する耳部を備えている請求項２又は３に記載のクリアポケット。
【請求項５】
更に、前記袋シートは前記第１表紙と前記第２表紙との間に該袋シートを補強するための補強台紙を有する請求項１〜４の何れかに記載のクリアポケット。
【請求項６】
前記袋シートは、前記紙が滑りにくい滑り止め部をもつ請求項１〜５の何れかに記載のクリアポケット。
【請求項７】
前記袋シートは、前記第１表紙及び／又は前記第２表紙に切り取り線と取り外し窓とを有し、前記窓は該切り取り線に沿って該取り外し窓を取り除いて形成される請求項１〜６の何れかに記載のクリアポケット。
【請求項８】
前記袋シートは、前記第１表紙と前記第２表紙との間に収容される前記紙が滑りやすい滑り紙を少なくとも１枚有し、該紙は該滑り紙と該第１表紙又は該第２表紙との間に挿入され、該紙が収容後は該滑り紙を抜き取る請求項１〜７の何れかに記載のクリアポケット。
【請求項９】
前記袋シートは、前記補強台紙と前記第１表紙及び前記第２表紙との間に収容される前記紙が滑りやすい前記滑り紙をそれぞれ１枚有し、該紙は該補強台紙と各該滑り紙との間にそれぞれ挿入され、各該紙が収容後は各該滑り紙を抜き取る請求項５〜７の何れかに記載のクリアポケット。
【請求項１０】
前記第１表紙及び／又は前記第２表紙は複数の小ポケットを有し、各該小ポケットに前記窓を有し、各該ポケットの一端部に前記開口を有する請求項１〜９の何れかに記載のクリアポケット。
【考案の詳細な説明】
【技術分野】
【０００１】
本考案は紙類をファイルするクリアポケットに関する。
【背景技術】
【０００２】
クリアポケットは、印刷物や配布書類などの紙（書類）を収納する袋状のビニール製で、収納された書類の内容が見えるように通常は透明である。クリアポケットは、それを幾つかまとめられてファイルされたものを一般的にクリアファイル（クリアホルダー、クリアブックなど）と呼ばれ、その状態で使用されることが多い。クリアファイルには、クリアポケットの一側端が糊付けされ枚数が限定されているものや必要枚数をクリアポケットとルーズリーフなども一緒にファイルすることができるものがある。
【０００３】
クリアポケットは、まとめて収納しておきたい書類をステープラーで留めたり、穴を開けたりする必要がないため、書類を傷つけることなくすぐに収納することができ、収納された書類はシワになりにくく、汚れにくいという利点がある。また、ステープラーで留めたり穴を開けて収納された書類は、その書類の一部を取り出す際、すぐに取り出すことができない。クリアポケットは、一度収納された書類を取り出しやすく、書類の順番を変えることも容易である。これまでに、クリアポケットにインデックスを付け、書類の整理をし易くしたり（特許文献１）、クリアポケットに収納された書類が取り出し易くするために、クリアポケットの一部、書類の取り出し口に半円形状の刻みを入れたりすることが考案されている（特許文献２）。
【特許文献１】実用新案登録第３０９５１０７号公報
【特許文献２】実開平６−５０８７６号公報
【考案の開示】
【考案が解決しようとする課題】
【０００４】
通常、クリアポケットに収納される書類は、印刷されたあるいは書き込まれた内容が見える状態で、書類がシワにならず収納されるのに適している。しかし収納後、書類に追加のデータや内容を書き加えたり、コメントを書き込んだりする場合には、書類をクリアポケットから取り出す必要がある。
【０００５】
上記の特許文献１は、収納された書類を探し出すのに、見出しを書き込んだインデックスが非常に役に立つ。また、特許文献２は、クリアポケットの形状が収納された書類を取り出し易くデザインされているので、すぐに取り出せる。しかし、特許文献１も２も結局書類をクリアポケットから取り出さなければならない。取り出した書類が一枚であるとは限らず、数枚の場合は、一枚一枚抜いて書き込むのは面倒であり、一度に取り出した場合は正しい順番で収納するのも大変である。
【０００６】
本考案は上記課題を鑑みなされたもので、収納された書類を取り出すことなく、必要事項を追記することができるクリアポケットを提供することを目的とする。
【課題を解決するための手段、作用、効果】
【０００７】
本考案のクリアポケットは、透明あるいは半透明で一端が開口した袋状の袋シートを有するクリアポケットにおいて、前記袋シートは紙が収容されたとき該紙の表面を覆う第１表紙と該紙の裏面を覆う第２表紙とを有し、前記第１表紙及び／又は前記第２表紙は前記紙に書き込み可能な書き込み窓を有することを特徴とする。
【０００８】
本考案のクリアポケットは、書類をステープラーで留めることも穴を開けることもせず、すぐに収納できるクリアポケットの特色を生かしつつ、収納した書類に直接加筆したりメモを付けたりすること等ができる。書き込むための窓は、クリアポケットの第１表紙及び
第２表紙に備えることも、第１表紙又は第２表紙だけに備えることもできる。
【０００９】
本考案のクリアポケットは、第１表紙及び／又は第２表紙が書き込み窓の周囲に窓枠部を有することが好ましい。これにより、収納された書類がクリアポケットから外れにくく、そして書き込めるだけの十分の窓を形成することができる。
【００１０】
本考案のクリアポケットは、第１表紙及び／又は第２表紙が書き込み窓を横断し対向する窓枠部を連結する連結枠部を有することが好ましい。連結窓枠部は、クリアポケットに収納された書類が外れにくくすることができる。
【００１１】
本考案のクリアポケットは、袋シートが窓枠部の一側端部にファイルされるためのファイル孔又は接着面を有する耳部を備えていることが好ましい。これにより、クリアポケットをクリアファイルなどにまとめることができる。
【００１２】
本考案のクリアポケットは、袋シートが第１表紙と第２表紙との間に袋シートを補強するための補強台紙を有することが好ましい。補強台紙は、書類が収納されている場合もいない場合もクリアポケットの形状を維持したり、あるいは裏合わせで収納された書類の内容が片方に透けて見えないなどの効果を奏する。
【００１３】
本考案のクリアポケットの袋シートは、紙が滑りにくい滑り止め部をもつものが好ましい。このようにすることで、クリアポケットに収納された書類が、クリアポケットの中で滑りにくいため書き込む際に安定した状態で利用ができ、しかも開口端や窓から外れたりしにくくなる。
【００１４】
本考案のクリアポケットの袋シートは、第１表紙及び／又は第２表紙に切り取り線と取り外し窓とを有し、窓は該切り取り線に沿って取り外し窓を取り除いて形成されることが好ましい。これにより、窓は必要なときに作ることができ、必要になるまで通常のクリアポケット同様に使用することができる。
【００１５】
本考案のクリアポケットの袋シートは、第１表紙と第２表紙との間に収容される紙が滑りやすい滑り紙を少なくとも１枚有し、紙は滑り紙と第１表紙又は第２表紙との間に収容され、紙が収容後は滑り紙を抜き取ることが好ましい。あるいは、本考案のクリアポケットの袋シートは、補強台紙と第１表紙及び第２表紙との間に収容される紙が滑りやすい滑り紙をそれぞれ１枚有し、紙は補強台紙と各滑り紙との間にそれぞれ収容され、各紙が収容後は各滑り紙を抜き取ることが好ましい。この滑り紙により、クリアポケットに書類を収容しやすくなり、その上収容したい書類の端の部分が窓に引っかかるのを防ぐことができる。
【００１６】
本考案のクリアポケットの第１表紙及び／又は第２表紙は複数の小ポケットを有し、各小ポケットに窓を有し、各ポケットの一端部に開口を有することが好ましい。これにより、複数の小さい書類を一度に並べて収納し書き込みを行うことができる。
【考案を実施するための最良の形態】
【００１７】
本考案のクリアポケットの袋シートは一端が開口した袋状であり、袋全体の大きさは収容される書類の大きさで決まり、名刺が入る小さなサイズから写真を収納するサイズ、公用書類サイズのＡ４あるいはそれ以上の大きなものでもよい。袋シートの形は、縦長矩形でも横長矩形でも正方形も良い。開口端もクリアポケットを持ち運ぶ際に書類が飛び出しにくい方向であれば良く、書類の上方開口でも側方開口でも良い。袋シートの厚さは、薄いビニール製のものから一般的にクリアケースと呼ばれる厚いプラスチック製のものでも良く、そしてそれらは透明が通常であるが用途により半透明のものでも良い。
【００１８】
また、袋シートに一旦収納された書類が滑りにくくするために、袋シートの素材を摩擦が大きいものとしたり、あるいは袋シートに凹凸の加工をするなどでも良い。補強台紙を使用する場合には、補強台紙に書類が滑りにくい加工を施すことも可能であり、また補強台紙に切り込みを入れ収納された書類の一部（角）をこの切り込みに差し込んでも良い。
【００１９】
また、袋シートは寸法が小さい名刺や写真や葉書などを一枚収納する大きさだけでなく、それらが複数枚並べて収納することができる小ポケットを有することもできる。そして、それぞれの小ポケットに各書類を収納するための開口を上方あるいは側方に形成することも可能である。
【００２０】
本考案のクリアポケットの書き込み窓は、文字などを書き込めるだけの十分な大きさ、形状をもち、形状としては円形、楕円形、四角形、四角形の角が丸く整形されたものでも良い。書き込み窓は、袋シートの第１表紙及び第２表紙の両面に形成しても、いずれか一方のみに形成しても良い。
【００２１】
本考案のクリアポケットの窓枠部は、所定幅を有し書類の四辺全てを囲むものでも良く、向かい合う部分にだけ形成する（上下だけ、左右だけ）のでも良く、または一片がなく三辺だけのものでも良い。これらの窓枠部は、袋シートの第１表紙及び第２表紙で同じ形状でも良く、第１表紙又は第２表紙だけに窓枠部を有するものでも良い。また、第１表紙と第２表紙とで異なる形状の窓枠部を形成することも可能である。
【００２２】
本考案のクリアポケットの袋シートは、単体一枚のみで使用することもできるが、幾つかまとめてファイルしてクリアファイルに納めて使用することも可能である。クリアファイルにまとめる際は、窓枠部の一側の耳部を利用することができる。耳部で糊付けされ固定枚数のクリアポケットでも、リングを有し、クリアポケット以外のものも一緒にまとめることができるものでも良い。そのため、耳部は糊付けされるだけの十分の幅、あるいはリングに嵌めるためのファイル孔を有するだけの幅であれば良い。耳部のファイル孔の数は、ファイルされるクリアファイルのリングの数に応じて、必要な形状と数であれば良い。
【実施例】
【００２３】
次に、本考案に係るクリアポケットの実施例について、図面を参照して詳細に説明する。
【００２４】
（実施例１）
本考案のクリアポケットの実施例１の斜視図を図１に示す。
【００２５】
クリアポケット１０は、透明なビニール製の袋シート２からなり、第１表紙２１、第２表紙２２、窓２３、窓枠部２４、開口端２５を有する。縦長矩形状の第１表紙２１及び第２表紙２２は、袋シート２に収納される縦長矩形状の紙３の表面と裏面とを挟みこむビニール製のシートであり、第１表紙及び第２表紙は袋状に一端を残し繋がっている。残された一端が書類を出し入れするための開口端２５である。窓２３は第１表紙２１に備えられており、四角形でその角が丸く整形されており、四角枠状の窓枠部２４によって囲まれている。窓枠部２４は、開口端２５を上方として上窓枠２４１、その対向側が下窓枠２４２、上窓枠２４１と下窓枠２４２との左右に位置する左窓枠２４３及び右窓枠２４４とからなる。実施例１では、第１表紙２１側にのみ窓２３を形成している。
【００２６】
実施例１のクリアポケット１０の使用時は、開口端２５から紙３を入れ、紙３の書き込み可能性がある表面を第１表紙２１側になるように収納する。必要に応じて、ペンなどで窓２３から紙３に直接文字などを書き込みできる。
【００２７】
（実施例２）
本考案のクリアポケットの実施例２を図２に示す。
【００２８】
クリアポケット１１は図１に示されているクリアポケット１０の開口端２５の位置が、収納されている紙３の側縁、例えば右側である場合であり、その他は実施例１のクリアポケット１０と同じである。図１中と同じ部分に同じ符号を使用し、詳細な説明を省略する。
【００２９】
（実施例３）
本考案のクリアポケットの実施例３を図３に示す。
【００３０】
クリアポケット１２は図１に示されているクリアポケット１０の袋シート２の第１表紙２１及び第２表紙２２の縦横の比率が逆、つまり横長矩形になったもので、図１中と同じ部分に同じ符号を使用し、詳細な説明を省略する。
【００３１】
（実施例４）
本考案のクリアポケットの実施例４を図４に示す。
【００３２】
クリアポケット１３は図１に示されているクリアポケット１０において、第１表紙２１に連結枠部２６が付加されたものである。図１中と同じ部分に同じ符号を使用し、詳細な説明を省略する。クリアポケット１３は、窓２３を横断し、窓枠部２４の左窓枠２４３と右窓枠２４４とを繋ぐ連結枠部２６が所定幅で形成されている。
【００３３】
（実施例５）
本考案のクリアポケットの実施例５を図５に示す。
【００３４】
クリアポケット１４は図１に示されているクリアポケット１０に補強台紙２７が付加されたものである。図１中と同じ部分に同じ符号を使用し、詳細な説明を省略する。補強台紙２７は紙３と同じ形状をもち紙３よりもたわみにくく、紙３と第２表紙２２との間に位置している。補強台紙２７は、通常紙３が収納されていない状態では、第１表紙２１と第２表紙２２との間に位置している。紙３が一枚収納された状態では、紙３と第１表紙２１との間又は紙３と第２表紙２２との間に位置し、紙３が２枚収納された状態では、紙３と紙３との間に位置する。
【００３５】
（実施例６）
本考案のクリアポケットの実施例６を図６に示す。
【００３６】
クリアポケット１５は図１に示されているクリアポケット１０に耳部２８が付加されたものである。図１中と同じ部分に同じ符号を使用し、詳細な説明を省略する。耳部２８は、袋シート２の窓枠部２４の一側端、図６において右側の右窓枠２４４に所定幅で形成されている。耳部２８は、クリアファイル（図示せず）にファイルされる際に必要な穴であるファイル孔２８１を所定数有し、そしてそのファイル孔２８１の穴の形状はクリアファイルのリングの形状に対応している。
【００３７】
（実施例７）
本考案のクリアポケットの実施例７を図７に示す。
【００３８】
クリアポケット１６は図１に示されているクリアポケット１０の第１表紙２１の窓枠部２４の上辺の上窓枠２４１が除去されている。図１中と同じ部分に同じ符号を使用し、詳細な説明を省略する。
【００３９】
（実施例８）
本考案のクリアポケットの実施例８を図８に示す。
【００４０】
クリアポケット１７は図１に示されているクリアポケット１０の第１表紙２１の窓枠部２４が上辺の上窓枠２４１と対向する下窓枠２４２との２つからなる。図１中と同じ部分に同じ符号を使用し、詳細な説明を省略する。
【００４１】
実施例８のクリアポケット１７は、開口端２５から紙３を入れ、あるいは窓２３から上窓枠２４１と下窓枠２４２とに紙３を入れ、紙３の書き込み可能性がある面を第１表紙２１側になるように収納する。必要に応じて、窓２３から紙３に直接書き込む。
【００４２】
（実施例９）
本考案のクリアポケットの実施例９を図９に示す。
【００４３】
クリアポケット１８は図１に示されているクリアポケット１０の第１表紙２１の窓枠部２４が左窓枠２４３と対向する右窓枠２４４との２つからなる。図１中と同じ部分に同じ符号を使用し、詳細な説明を省略する。第１表紙２１の左窓枠２４３の下方の左窓枠下２４３ａ、右窓枠２４４の下方の右窓枠下２４４ａと第２表紙２２とは閉じられている。
【００４４】
実施例９のクリアポケット１８は、開口端２５から紙３を入れ、あるいは窓２３から左窓枠２４３と右窓枠２４４とに紙３を入れ、紙３の書き込み可能性がある面を第１表紙２１側になるように収納する。必要に応じて、窓２３から紙３に直接書き込む。
【００４５】
（実施例１０）
本考案のクリアポケットの実施例１０を図１０に示す。
【００４６】
クリアポケット１９は図１に示されているクリアポケット１０の袋シート２の第１表紙２１の窓２３を楕円形状にしたものである。図１中で使用した同じ部分の符号は同じ符号を使用し、詳細な説明を省略する。
【００４７】
（実施例１１）
本考案のクリアポケットの実施例１１を図１１に示す。
【００４８】
クリアポケット１０Ａは図１に示されているクリアポケット１０の袋シート２の窓２３を菱形状にしたものである。図１中と同じ部分に同じ符号を使用し、詳細な説明を省略する。開口端２５は図１１において右側方に形成されており、窓枠部２４は左上窓枠２４５、右上窓枠２４６、左下窓枠２４７及び右下窓枠２４８からなる。
【００４９】
（実施例１２）
本考案のクリアポケットの実施例１２を図１２に示す。
【００５０】
クリアポケット１０Ｂは図３に示されているクリアポケット１２の開口端２５を右側方に形成した上で、ミニポケット４を横方向に２つ、縦方向に４つ並べたものである。各ミニポケット４は開口端２５以外の側縁が第２表紙２２に溶着あるいは縫い合わせてあり、それぞれ個別に書類を挿入することができる。図３中と同じ部分に同じ符号を使用し、詳細な説明を省略する。ここでは右上のミニポケット４には名刺５を収容しているが、その他のミニポケット４にも同様に挿入することができる。
【００５１】
以上、本考案の好適な実施例について説明したが、本考案は上記実施例に限定されるものではない。例えば、実施例１〜１０までのクリアポケットの開口端２５は、上窓枠２４１側あるいは右窓枠２４４側のそれぞれに形成されることに限定されず、四つの縁部のうち適切な縁に備えられる。場合よっては形成しないことも可能である。また、補強台紙２７及び耳部２８は実施例１〜１０、１０Ａ、１０Ｂのクリアポケットの全てに備えることが可能である。さらに、耳部２８の位置は右窓枠２４４の側縁に限定されず、その他の適切な縁に備えることが可能である。
【図面の簡単な説明】
【００５２】
【図１】本考案のクリアポケットの実施例１の斜視図である。
【図２】本考案のクリアポケットの実施例２の斜視図である。
【図３】本考案のクリアポケットの実施例３の斜視図である。
【図４】本考案のクリアポケットの実施例４の斜視図である。
【図５】本考案のクリアポケットの実施例５の斜視図である。
【図６】本考案のクリアポケットの実施例６の斜視図である。
【図７】本考案のクリアポケットの実施例７の斜視図である。
【図８】本考案のクリアポケットの実施例８の斜視図である。
【図９】本考案のクリアポケットの実施例９の斜視図である。
【図１０】本考案のクリアポケットの実施例１０の斜視図である。
【図１１】本考案のクリアポケットの実施例１１の斜視図である。
【図１２】本考案のクリアポケットの実施例１２の図である。
【符号の説明】
【００５３】
１０〜１９、１０Ａ，１０Ｂ：クリアポケット
２：袋シート            ２１：第１表紙
２２：第２表紙          ２３：窓
２４：窓枠部            ２４１：上窓枠
２４２：下窓枠          ２４３：左窓枠
２４３ａ：左窓枠下      ２４４：右窓枠
２４４ａ：右窓枠下      ２４５：左上窓枠
２４６：右上窓枠        ２４７：左下窓枠
２４８：右下窓枠        ２５：開口端
２６：連結枠部          ２７：補強台紙
２８：耳部              ２８１：ファイル孔
３：紙
４：ミニポケット
５：名刺
【図１】
0003116936.tif 000003
【図２】
0003116936.tif 000004
【図３】
0003116936.tif 000005
【図４】
0003116936.tif 000006
【図５】
0003116936.tif 000007
【図６】
0003116936.tif 000008
【図７】
0003116936.tif 000009
【図８】
0003116936.tif 000010
【図９】
0003116936.tif 000011
【図１０】
0003116936.tif 000012
【図１１】
0003116936.tif 000013
【図１２】
0003116936.tif 000014